(57)【要約】      （修正有）【課題】照明による熱を遮断し、飾り物から漏れた水により行灯本体の照明装置の漏電を防止するとともに、飾り物を照明によって効果的に演出することのできる行灯の提供。【解決手段】中に光源を備えた行灯本体１１の上部に、枠体１２で支持される光透過性を有する底板１３と光透過性を有する天板１４とを間隔を保って設け、底板１３は行灯本体１１と隙間を保つと共に枠体１２に上下に調節可能に配置してあり、天板１４には飾り物を係止又は底板に載置するくりぬき穴１９が形成されたことによって、断熱と漏電を防止し、飾り物を効果的に演出することができる。【選択図】図１
2009148423.tif 000002
【特許請求の範囲】
【請求項１】
中に光源を備えた行灯本体の上部に、枠体で支持される光透過性を有する底板と光透過性を有する天板とを間隔を保って設け、前記底板は行灯本体と隙間を保つと共に前記枠体に上下に調節可能に配置してあり、前記天板には飾り物を係止又は底板に載置するくりぬき穴が形成してあることを特徴とする飾り板付き行灯。
【発明の詳細な説明】
【技術分野】
【０００１】
本発明は行灯本体の上部に天板と底板とからなる飾り板を設け、この飾り板に飾り物を載置し、行灯の光によって飾り物を照らし出す飾り板付き行灯に関する。
【背景技術】
【０００２】
生け花、壷、花器、人形、陶器の置物などの飾り物を載置するのに飾り台あるいは敷き布などが用いられ、これらの飾り物を照明を用いて照らし出し、効果的に演出することが通常行われている。
このような飾り物に光を当てて効果的に演出する方法として、飾り棚の上部方向、横部方向又は下部方向に照明装置を設けて、飾り棚に載置した飾り物に照明装置の光源を当てることが行われている。
しかし、係る方法によれば飾り物を載置することのできる場所が照明装置の取り付けられた場所に限定され、また、別個の場所に載置する場合は照明装置を別に設けることが必要であった。
【０００３】
一方、照明による演出は飾り物の下部方向から光を当てるとより効果的であり、建物等はいわゆるライトアップすることにより、より効果的な演出が行われている。また、生け花、壷、花器、人形、陶器の置物などの飾り物は直接的な光によって照らし出すよりは、間接的な光によって照らし出すと、やわらかい光に照らし出された飾り物により、精神的な安らぎと、心地よさを惹起する。
【発明の開示】
【発明が解決しようとする課題】
【０００４】
本発明は、かかる課題に鑑みてなされたものであり、その目的とするところは、やわらかい光を飾り物の下部方向から照らす手法を採りながら一体感を保つことによって、飾り物を一層引き立たせる効果的な演出を可能とし、また光源の発する熱を散逸または遮蔽することにより生花などの飾り物が萎れてしてしまうことを防止し、かつ、生花を入れた花器の水がこぼれることによる光源の漏電の発生を防止することができる飾り板付き行灯を提供することにある。
【課題を解決するための手段】
【０００５】
本発明に係る飾り板付き行灯は、上記目的を達成するために、中に光源を備えた行灯本体の上部に、枠体で支持される光透過性を有する底板と光透過性を有する天板とを間隔を保って設け、前記底板は行灯本体と隙間を保つと共に前記枠体に上下に調節可能に配置してあり、前記天板には飾り物を係止又は底板に載置するくりぬき穴が形成してあることを特徴とするものである。
【０００６】
本発明において、行灯とは光透過性を有するシート又はパネルで被われ、内部に光源を有し、照明に用いるものをいう。行灯を被うシート及びパネルは平面模様、エンボス等の立体模様、透かし入り、半透明及び不透明のものを含み、また、シート又はパネルの表面に模様を付したもの及び模様を付したシートを貼り付けたものも含まれる。
【０００７】
光源は、光を発するものであれば、その種類は問わないが、行灯が飾り物を下部方向から照らし出すのに必要な照度を有するものであることが好ましい。このような照度を有するものであれば、より効果的に飾り物をライトアップし効果的な演出が可能となるからである。
【０００８】
また、本発明において、底板と天板は、光透過性を有するものであればガラス、樹脂板のいずれであってもよく、透明、半透明、不透明のいずれであってもよい。天板に設けられたくりぬき穴は円形、楕円形、方形、その他、任意の形状であってもよい。底板、及び天板の形状は方形に限らず、円形及びその他の形状であってもよく、底板と天板の大きさは同一に限らず、異なっていてもよい。
【０００９】
さらに底板は行灯本体と隙間が設けてあるため、光源からの熱の遮断機能や水の遮断機能を果たしている。飾り物がくりぬき穴内に入るので、行灯に飾り物が一体感をもって組み込まれ、光透過性の底板及び天板を介在して照らす行灯の光が飾り物を一層引き立たせ、えもいわれぬ美しさを醸し出す。底板の高さが調節可能な構成で飾り物を浮き沈みの調整をし得るので、行灯に対して調和の取れた高さに飾り物を配置することができる。
【発明の効果】
【００１０】
本発明は、くりぬき穴内に飾り物が入る構成なので、飾り物（生け花）が一段と行灯と一体感を保ち、しかも行灯からの光が光透過性の底板及び天板を介在して飾り物を照らし出すため、飾り物（生け花）が行灯の淡い光と一体となって一層引き立ち、全体としてえもいわれぬ調和のある雰囲気を醸し出すことができ、寝室や病院の病室等のように心が癒され、心の安まる雰囲気が求められる部屋には最適な商品として提供できるものである。
【００１１】
また、本発明によれば、生花を入れた花器を天板に設けた円形のくりぬき穴に内接させ、かつ、底板の位置を調整して底板に着接させることにより、花器の傾倒を防止して、花器の内部の水がこぼれて花器の下部に位置する行灯を濡らして漏電の発生を防止することができる。
さらに、底板位置の調整をすることにより、底板１３と行灯本体１１の間に隙間１８をとることにより、空気の流れが発生し、前記隙間により空気の断熱層ができ、行灯の光源から発生する熱によって、花器に入れた花が萎れることを防止することができる。また、花瓶、人形、陶器などの飾り物を底板に載置して飾る場合、底板位置を調整して飾り出したい部分を効果的な演出ができるようにすることができる。
【００１２】
このように、行灯本体の上部に飾り物を置き、行灯の光で照らし出すことにより、飾り物を効果的に演出し、観者に精神的な安らぎと、心地よさを与えることができる。
【発明を実施するための最良の形態】
【００１３】
図１〜図９によって本発明の実施の形態を説明する。
中に光源を備えた行灯本体の上部に、枠体１２で支持される光透過性を有する底板１３と光透過性を有する天板１４とを隙間１６を保って設け、底板１３は行灯本体と隙間１８を保つと共に前記枠体に上下に調節可能に配置してあり、前記天板１４には飾り物を係止又は底板に載置するくりぬき穴が形成してある構造を有する。
【００１４】
より具体的には、図２に示されるように、行灯本体１１の上部に枠体１２で支持される光透過性を有する底板１３と光透過性を有する天板１４とを隙間１６を保って設け、底板１３は行灯本体１１と隙間１８を保つと共に枠体１２に上下に調節可能に配置してあり、天板１４には飾り物を内接して係止し、かつ、底板１３に着接するくりぬき穴１９が形成してある。底板１３は上下移動自在に枠体に取付け金具を用いて係止される。底板１３の水平位置の調整を容易にするために、枠体１２に目盛を表示し、或いは目盛を付したスケールを貼付することができる。
【００１５】
このような行灯によれば、図１に示されるように飾り物の花器１０が天板のくりぬき穴に内接して係止され、かつ、底板１３の位置を調整することによって底板１３に花器１０を着接することができ、花器１０を天板１４のくりぬき穴１９と底板１３で支持し、安定した状態に保つことができる。したがって、花器１０が天板１４のくりぬき穴１９に係止され、かつ、底板１３に着接することにより花器１０の傾倒することが防止できるため、花器１０に満たされた水が花器１０の傾倒によってこぼれ、行灯内部に設けられ光源を濡らし、漏電が発生することを防止することができる。
【００１６】
また、行灯１１は天部及び側胴部を光透過性のシートからなり、内部の光源を点灯することにより、やわらかな光を発し、透明な天板及び底板を通して花器を下部から照らし出し、美しく調和のある雰囲気を醸し出すことにより、効果的な演出ができる。
【００１７】
図４は底板に花瓶を載置したものである。図４（ａ）のように、花瓶の特徴ある部分が天板と底板の取り付け位置によって天板により隠れてしまう場合がある。このような場合は、底板と天板の隙間１６を狭めて底板を天板側に移動し、花瓶の特徴ある部分を天板の水平位置より上方に出して飾り付けをすることができる。図４（ｂ）は底板１３の係止する位置を天板側に移動するため、枠体１２の取付け金具を枠体１２の天板側に移動して取り付けて底板を係止し、天板と底板の間隔を狭めたものでる。
【００１８】
このように、隙間１６を狭めて底板１３を上方に移動することにより、特長のある部分を天板１４の水平位置より上に出して花瓶を底板１３に載置し、より効果的に花瓶の飾り付けを演出することができる。
【００１９】
図５及び図６は天板形状についての実施の形態を示したものである。枠体１２に螺設された天板は取り外して大きさの異なる天板に取り替えることができる。図５は天板２４の辺部が枠体の四周部より外側にあるものを表示している。図６は天板３４の辺部が枠体の四周部より外側にあり、かつ、形状が楕円形であるものを表示している。このように、枠体１２に螺設された天板は、飾り物の内容及び大きさなどの特性の違いに応じて効果的な演出を可能とするために、取り外して形状及び寸法の異なる他の天板に取り替えることができる。
【００２０】
図７は底板形状についての実施の形態を示したものである。枠体１２に係止した天板は、取り外して形状及び大きさの異なる底板に取り替えることができる。図７は底板３３の辺部が枠体の四周部より外側にあり、かつ、形状が楕円形であるものを表示している。このように、枠体１２に係止された底板３３は、飾り物の内容及び大きさなどの特性の違いに応じて効果的な演出を可能とするため、取り外して形状及び寸法の異なる他の底板に取り替えることができる。
また行灯本体１１から発生する熱を底板３３の辺部より外部側へ拡散を促進させ、隙間１８の断熱効果を向上させ、かつ、花器などの水がこぼれ行灯本体を濡らし漏電が発生する防水蓋の機能を有することができる。
【００２１】
図８は行灯本体２０が球状の形状をした本発明に係る行灯を表わしている。この行灯は行灯底部に球形の行灯本体２０を構設し、行灯本体内部に光源を有する。行灯本体の形状は、飾り物を下部方向から照らし出し、効果的な演出ができるものであれば、形状を問わない。
【００２２】
図９は行灯の平面形状が楕円形の本発明に係る行灯である。行灯本体、底板、天板の平面の形状は図９に示したように楕円形であってもよい。飾り物の下部方向から、やわらかな光で飾り物を照らし出すことができれば行灯の平面の形状が円形、多角形その他の形状であってもよい。
【図面の簡単な説明】
【００２３】
【図１】花器を載置した行灯の斜視図である。
【図２】行灯の斜視図である。
【図３】花器を載置した行灯の正面図と側面図である。
【図４】特徴ある部分を含む花器を載置した行灯の正面図と側面図である。
【図５】天板が枠体の四周部より外側にあり、方形である行灯である。
【図６】天板が枠体の四周部より外側にあり、楕円形状である行灯である。
【図７】底板が枠体の四周部より外側にあり、楕円形状である行灯である。
【図８】平面形状が方形形である行灯である。
【図９】平面形状が楕円形状である行灯である。
【符号の説明】
【００２４】
１１、２０行灯本体
１２枠体
１３、３４底板
１４、２４、３４天板
１６天板と底板の隙間
１８行灯本体と底板の隙間
１９くりぬき穴
【図１】
2009148423.tif 000003
【図２】
2009148423.tif 000004
【図３】
2009148423.tif 000005
【図４】
2009148423.tif 000006
【図５】
2009148423.tif 000007
【図６】
2009148423.tif 000008
【図７】
2009148423.tif 000009
【図８】
2009148423.tif 000010
【図９】
2009148423.tif 000011